(57)【要約】【課題】開閉器の接点部分に圧力を付加する接圧部において、開極時に発生する曲げ荷重、衝撃荷重を低減することにより、開閉器の小型化を図る。【解決手段】レバー３によって操作装置１の動作を主回路部２へ伝達し、レバー３に連結されたワイプリンク７とワイプロッド６とはワッシャ９及びボルト８を介して接続されており、曲げ荷重の低減のため、ワイプリンク７とワイプロッド６に固定されたワッシャ９との衝突面を球面状あるいは円錐状にし、片あたりを防止する。【選択図】        図７
2005019214.tif 000002
【特許請求の範囲】
【請求項１】
操作装置の動作を主回路部へ伝達するレバーと、このレバーに連結されたワイプリンクと、このワイプリンクとはボルト及びワッシャを介して接続されたワイプロッドを備えた開閉器において、上記ワッシャと上記ワイプリンクとの係合面を球面状に構成したことを特徴とする開閉器。
【請求項２】
操作装置の動作を主回路部へ伝達するレバーと、このレバーに連結されたワイプリンクと、このワイプリンクとはボルト及びワッシャを介して接続されたワイプロッドを備えた開閉器において、上記ワッシャと上記ワイプリンクとの係合面を円錐状に構成したことを特徴とする開閉器。
【請求項３】
操作装置の動作を主回路部へ伝達するレバーと、このレバーに連結されたワイプリンクと、このワイプリンクとはボルト及びワッシャを介して接続されたワイプロッドを備えた開閉器において、上記ワッシャと上記ワイプリンクとの間にスペーサーを挿入したことを特徴とする開閉器。
【請求項４】
上記ワッシャと上記ワイプリンクとの間にスペーサーを挿入したことを特徴とする請求項１又は請求項２記載の開閉器。
【発明の詳細な説明】
【０００１】
【発明の属する技術分野】
この発明は、開閉器の接圧構造における改良に関するものである。
【０００２】
【従来の技術】
従来の開閉器として、主回路部の接点を動作させるため、操作装置の動作をレバー、ワイプリンク、ワッシャ、ボルト及びワイプロットを介して伝達させ動作させるものがあった。
【０００３】
又、従来の真空開閉器においては、開極状態の場合では、駆動レバーの突起部が絶縁ロッドの第２のワッシャと当接しているので、第２のボルトは、スプリングワッシャ及びナットを介して第２のワッシャ及び駆動レバーに電気的に接続される。
また、真空開閉器が閉極状態の場合では、駆動レバーがコイルバネをワイプ寸法だけ圧縮して上方向に押し上げ、駆動レバーの突起部と第２のワッシャとは、ワイプ寸法だけ離れた状態になるものがあった（例えば、特許文献１参照）。
【０００４】
【特許文献１】
特開平７−２９６６８６号公報
【０００５】
【発明が解決しようとする課題】
従来の開閉器は以上のように構成されているので、開閉器の接圧部においては、閉極位置から開極位置へ動作する際、ワイプリンクがワッシャと衝突し、過大な衝撃力がワイプロッドに加わった後、接点を開くことになる。
【０００６】
また下部のレバーが円弧運動をするため、ワイプリンクとワイプロッドのスライド動作部は若干のギャップがあり、これによりワイプリンクがワイプロッドから相対的に傾くことにより、片あたりが発生し、過大な曲げ荷重がワイプロッドに発生する。
上記のような衝撃荷重、曲げ荷重が作用する部位は相当の強度を有することが必要となり、開閉器を大型にしなければならないという問題点があった。
【０００７】
この発明は、上記のような課題を解決するためになされたもので、開極時に発生する衝撃荷重、曲げ荷重を低減し、開閉器全体を小型に構成することを目的としている。
【０００８】
【課題を解決するための手段】
この発明の請求項１に係る開閉器は、操作装置の動作を主回路部へ伝達するレバーと、このレバーに連結されたワイプリンクと、このワイプリンクとはボルト及びワッシャを介して接続されたワイプロッドを備えたものであって、ワッシャとワイプリンクとの係合面を球面状に構成したものである。
【０００９】
【発明の実施の形態】
前提技術
本発明の前提技術となる開閉器について図に基づいて説明する。
図１〜図３は前提技術である開閉器を示す側面図、図４は図１のＡ方向から見た正面図である。
図１は開極状態、図２は途中状態、図３は閉極状態をそれぞれ示している。
図において、操作装置１は電路を構成する主回路部２の接点２ａを動作させる。レバー３は操作装置１の動作を主回路部２へ伝達する。
【００１０】
ばね４は接点２ａに接触圧力を加え、絶縁ロッド５は主回路部２とワイプロッド６の間を電気的に絶縁状態を保ちながら結合するものである。
ワイプリンク７はレバー３に連結され、ワイプリンク７はワイプロッド６と軸方向にスライドできるように、ボルト８およびワッシャ９により接続されている。
図５、図６は、ワイプロッド６、ワイプリンク７、ボルト８、ワッシャ９部分を示す拡大側面図であり、図２と同様途中状態を示している。
【００１１】
上記の構成を持つ開閉器の接圧部においては、閉極位置から開極位置へ動作する際、図２に示す途中状態において、ワイプリンク７がワッシャ９と衝突し、過大な衝撃力がワイプロッド６、絶縁ロッド５に加わった後、接点２ａを開くことになる。
【００１２】
またレバー３は円弧運動をするため、ワイプリンク７とワイプロッド６のスライド動作部には若干のギャップがあるため、図６に示すように、ワイプリンク７がワイプロッド６に対して相対的に傾き、片あたりをおこし、過大な曲げ荷重がワイプロッド６、絶縁ロッド５に発生する。
【００１３】
本発明は上記前提技術に改良を加えたものであり、片あたりによる曲げ荷重を低減するようにしたものである。
実施の形態１．
図７はこの発明の実施の形態１による開閉器を示す側面図、図８、図９はワイプロッド６、ワイプリンク７、ボルト８、ワッシャ９部分を示す拡大側面図である。
図において、ワイプロッド６に取付けられるワッシャ９の上面においては、ワイプリンク７の天井部７ａとの係合面を球面状に構成されている。
【００１４】
図８はワイプリンク７が正常位置にある状態、図９はワイプリンク７が傾いて、ワッシャ９と接触した状態をそれぞれ示している。
図９に示すような場合でも、ワッシャ９の係合部を球面上に構成したことにより、ワイプリンク７の片あたりによる曲げ荷重を低減させることが可能である。
【００１５】
本発明は、以上のように構成されているので、開極時に各部に発生する曲げ荷重を低減することができ、開閉器の小型化を実現することができる。
【００１６】
実施の形態２．
図１０、図１１はこの発明の実施の形態２による開閉器を示す部分拡大側面図であり、図において、ワイプロッド６に取付けられるワッシャ９においては、ワイプリンク７の天井部７ａとの係合面を上部を切り欠いている円錐状に構成されている。
図１０はワイプリンク７が正常位置にある状態、図１１はワイプリンク７が傾いて、ワッシャ９と接触した状態をそれぞれ示している。
図１１に示すような場合でも、ワッシャ９の係合部を円錐状に構成したことにより、ワイプリンク７の片あたりによる曲げ荷重を低減させることが可能である。
【００１７】
本実施形態は以上のように構成されているので、開極時に各部に発生する曲げ荷重を低減することができ、開閉器の小型化を実現することができる。
【００１８】
実施の形態３．
図１２はこの発明の実施の形態３による開閉器を示す部分拡大側面図であり、図において、ワイプリンク７の天井部７ａとワッシャ９との間に鉛、青銅等からなる反発係数の小さいスペーサー１０を挿入したものである。
ワイプリンク７及びワッシャ９はそれぞれ軟鋼で構成されているが、例えば鉛などの反発係数の小さい材料をスペーサー１０として使用することにより、ワイプリンク７とワッシャ９が衝突する際のワイプロッド６及び絶縁ロッド５に発生する衝撃荷重を低減させることが可能である。
【００１９】
尚、上記のようなスペーサー１０は、実施の形態１、２で示した構造においても、ワイプリンク７とワッシャ９との間に挿入することができる。
本実施形態は以上のように構成されているので、開極時に各部に発生する衝撃荷重を低減することができ、開閉器の小型化を実現することができる。
【００２０】
【発明の効果】
この発明の請求項１に係る開閉器によれば、操作装置の動作を主回路部へ伝達するレバーと、このレバーに連結されたワイプリンクと、このワイプリンクとはボルト及びワッシャを介して接続されたワイプロッドを備えたものであって、ワッシャとワイプリンクとの係合面を球面状に構成しので、開極時に各部に発生する曲げ荷重を低減することができる。
【図面の簡単な説明】
【図１】この発明の前提技術となる開閉器を示す側面図である。
【図２】この発明の前提技術となる開閉器を示す側面図である。
【図３】この発明の前提技術となる開閉器を示す側面図である。
【図４】図１のＡ方向から見た正面図である。
【図５】開閉器を示す拡大側面図である。
【図６】開閉器を示す拡大側面図である。
【図７】この発明の実施形態１による開閉器を示す側面図である。
【図８】この発明の実施形態１による開閉器を示す拡大側面図である。
【図９】この発明の実施形態１による開閉器を示す拡大側面図である。
【図１０】この発明の実施形態２による開閉器を示す拡大側面図である。
【図１１】この発明の実施形態２による開閉器を示す拡大側面図である。
【図１２】この発明の実施形態３による開閉器を示す拡大側面図である。
【符号の説明】
１  操作装置、２  主回路部、３  レバー、６  ワイプロッド、７  ワイプリンク、８  ボルト、９  ワッシャ、１０  スペーサー。
【図１】
2005019214.tif 000003
【図２】
2005019214.tif 000004
【図３】
2005019214.tif 000005
【図４】
2005019214.tif 000006
【図５】
2005019214.tif 000007
【図６】
2005019214.tif 000008
【図７】
2005019214.tif 000009
【図８】
2005019214.tif 000010
【図９】
2005019214.tif 000011
【図１０】
2005019214.tif 000012
【図１１】
2005019214.tif 000013
【図１２】
2005019214.tif 000014